(57)【特許請求の範囲】
【請求項１】
収納用のコンテナ本体の対向する側壁にそれぞれ凹陥部を形成し、該凹陥部内に両端が凹陥部側面に固着された軸部を設け、該軸部にフック部を離脱可能に装着する把持部材を設けてなり、前記凹陥部内には軸部近傍に弾性変形可能な係止部材を設けて、前記軸部に装着されたフック部の離脱を抑制するようにしたコンテナ。
【請求項２】
前記把持部材をコンテナ本体に重ねた位置でフック部が軸部から離脱する方向へ移動するのを防止する当接部をコンテナ本体に設けた請求項１記載のコンテナ。
【発明の詳細な説明】
【０００１】
【発明の属する技術分野】
本発明は、各種道具や物品等を収納して保管や運搬等に利用するためのコンテナに関する。
【０００２】
【従来の技術】
従来、この種のコンテナの一例としてカタログ１（「ＤＩＣ  ＰＡＬＬＥＴ・ＰＬＡＣＯＮ  ２００１  ＢＲＯＣＨＵＲＥ」２００１年４月：大日本インキ株式会社発行）やカタログ２（「’９９  総合カタログ  コンテナー／パレット／物流機器」平成１１年４月：岐阜プラスチック工業株式会社発行）などがある。これらのカタログに開示された収納容器としてのコンテナは平面視略四角形の箱状のコンテナ本体を有しており、その上部開口には略コの字型の一対の金具が把持部として取り付けられている。
この金具はコンテナ本体に回動可能に係止するために両端屈曲部をコンテナ本体の側壁に設けた穴部に挿入した状態で保持されている。或いは両端屈曲部を側壁の穴部に挿入して割ピン等で抜け止め防止した構造を有している。
【０００３】
【発明が解決しようとする課題】
しかしながら、上述したような金具の取り付け構造では、前者の場合には取り付けに際して金具の両端を弾性変形させて広げたり狭めたりした状態で穴部に挿入する必要があり、作業が繁雑であるという欠点がある。後者の場合には同様に金具の取り付け時に大きな力で弾性変形させる必要がある上に取り付けた割ピン等が錆びやすいという欠点がある。更に両者いずれの場合も取付部の金具がむきだしになっているために、邪魔になる上に見栄えが悪いという欠点がある。
特にこのようなコンテナにあっては、構造が簡単で低廉であることを要求されるために、低コストで金具の装着を容易にした上で装着後の外観上の見栄えをよくすることが困難であった。
本発明は、このような実情に鑑みて、把持部材の取り付けが容易で外観上の見栄えがよいコンテナを提供することを目的とする。
【０００４】
【課題を解決するための手段】
本発明によるコンテナは、底面と側壁を備えた収納用のコンテナ本体の対向する側壁にそれぞれ凹陥部を形成し、該凹陥部内に両端が凹陥部側面に固着された軸部を設け、該軸部にフック部を離脱可能に装着する把持部材を設けてなり、前記凹陥部内には軸部近傍に弾性変形可能な係止部材を設けて、前記軸部に装着されたフック部の離脱を抑制するようにしたことを特徴とする。把持部材をコンテナ本体に取り付ける際、フック部を軸部に嵌め合わせるだけで装着することができ、しかもこのフック部と軸部からなる取付部は凹陥部内に位置して外部から目視しにくいために邪魔にならず見栄えがよい。
【０００５】
【発明の実施の形態】
本発明のコンテナは、凹陥部内の軸部近傍に弾性変形可能な係止部材を設けて、軸部に装着されたフック部の離脱を抑制するようにしてもよい。フック部の装着時にあっては凹陥部にフック部を挿入する際に係止部材は弾性変形して逃げるために挿入を妨げず、挿入後にあってはフック部の外れる方向への移動を係止部材で抑制できる。
また把持部材を開いてコンテナ本体に重ねた位置でフック部が軸部から離脱する方向へ移動するのを防止する当接部をコンテナ本体に設けたため、把持部材を当接部に当接させた状態での把持部の離脱を防止できる。
【０００６】
【実施例】
次に本発明の実施例によるコンテナを図１乃至図６により説明する。尚、図１はコンテナの斜視図、図２は側面図、図３はコンテナ本体の凹陥部を示す斜視図、図４〜図６は金具の装着工程と使用状態を示す一部破断拡大図である。
実施例によるコンテナ１は、図１及び図２に示すように上方が開口された略箱状をなすコンテナ本体２と、コンテナ本体２の４枚の側壁３のうち対向する一対の側壁３に着脱可能に取り付けた一対の把持金具４とからなる。コンテナ本体２の材質は例えば平滑性を有し導電処理の可能なポリプロピレン等のプラスチック製であり、好ましくは一体成形で製作される。
コンテナ本体２は例えば略四角形の底面５と四辺に設けた４枚の側壁３とで形成されており、各側壁３の外面には補強用のリブ６を水平方向及び垂直方向等に設けていることが好ましい。側壁３は図１及び２に示す例では長辺部分をなす一対の第一側壁３ａと短辺部分をなす一対の第二側壁３ｂとがそれぞれ対向して位置している。コンテナ本体２の内部には底面５から起立する例えば略Ｔ字型の仕切壁７が取り外し可能に係止されている（図３参照）。
図１に示すように、コンテナ本体２の対向する第二側壁３ｂ（及び第一側壁３ａ）の上端面には取り付けた把持金具４を外側に倒した際に把持金具４の把持部４ａを載置するための略Ｌ字状の当接部８が形成されている。そして一方の第二側壁３ｂの当接部８の中央には、載置された把持部４ａを使用者が手でつかみやすいように内側に凹んだ把持凹部８ａが形成されており、載置された把持部４ａと把持凹部８ａとの間に少なくとも指を挿入可能な空間が形成されている。
【０００７】
コンテナ本体２の他方の第二側壁３ｂにおいても、当接部８の中央には把持凹部８ａと略同一構成の把持凹部８ｂが形成されている。対向する第二側壁３ｂ、３ｂの把持凹部８ａ，８ｂはそれぞれ内側に突出して形成されて底面５方向に部分的に延在している。これら把持凹部８ａ、８ｂはその幅と厚みが相違する。
そしてコンテナ本体２は第一側壁３ａ及び第二側壁３ｂが底面５から上方に向かって外側に傾斜する形状であるため、嵌合させて積層することが可能である。そのために一対の第二側壁３ｂの外面には把持凹部８ａと把持凹部８ｂとをそれぞれ嵌合する嵌合凹部９ａと嵌合凹部９ｂとが形成されている。
尚、二つのコンテナ本体２を積み重ねる際、１のコンテナ本体２の把持凹部８ａと他のコンテナ本体２の嵌合凹部９ａとを嵌合すれば、上側のコンテナ本体２は下側のコンテナ本体２内に挿入可能であるが、逆に１８０°水平回転させた１のコンテナ本体２の把持凹部８ａと他のコンテナ本体２の嵌合凹部９ｂとを嵌合させようとすれば、上側のコンテナ本体２は下側のコンテナ本体２内に挿入できない状態で積層されるように形成されている。
【０００８】
一対の第一側壁３ａの上端には、図３に示す凹陥部１１がそれぞれ二つづつ対向して形成されている。各凹陥部１１内には第一側壁３ａの延在方向に沿って側面１１ａ、１１ａが対向して形成され、これら側面１１ａ，１１ａに略直交して略円柱状の軸部１２が連結されて一体形成されている。また凹陥部１１内には軸部１２に近接する位置に弾性変形可能な係止部材１３が設けられている。この係止部材１３は、図４に示すように一端を凹陥部１１内で第一側壁３ａ上端近傍に連結された板部１３ａが他端に向けて漸次下方に向けて垂下されて軸部１２の下方近くに回り込むように湾曲しており、他端は自由端部をなしていて突起１３ｂが形成されている。
把持金具４は一対設けられており、略コの字型形状を呈していて両端部には図４に示すような略Ｊ字状のフック部４ｂがコの字型部分を含む平面に直交する方向に形成されている。把持金具４は各一対の第一側壁３ａ、３ａに対向してそれぞれ形成された各凹陥部１１内の軸部１２に各フック部４ｂが嵌め合わされてそれぞれ回動可能とされている。
【０００９】
本実施の形態によるコンテナ１は上述の構成を有しており、コンテナ本体２に把持金具４を取り付けるには、図４に示すように把持金具４のフック部４ｂを下向きにして凹陥部１１内に挿入し、係止部材１３の突起１３ｂを押して弾性変形させつつ軸部１２に嵌め合わせて引っかける（図５参照）。他の把持金具４についても同様に他の凹陥部１１内で軸部１２にフック部４ｂを嵌め合わせて、一対の把持金具４をコンテナ本体２に取り付けることができる。
この状態で係止部材１３の突起１３ｂはフック部４ｂに接触はしないがごく接近した位置にあるために、フック部４ｂが軸部１２から外れる方向へ微小移動すると突起１３ｂに当接することになり、フック４ｂの軸部１２から外れる方向の不用意な移動を防止できる。
また一対の把持金具４を外側に倒してコンテナ本体２の第二側壁３ｂ上面に回動させ、各把持部４ａを第二側壁３ｂの当接部８上に載置することができる。この状態で、フック部４ｂの湾曲部が図５に示すように係止部材１３側に位置して軸部１２から外れやすくなるが、把持金具４の把持部４ａがＬ字型の当接部８に位置するためにフック部４ｂが軸部１２から外れる方向に移動するのを阻止できる。
そしてこの状態からコンテナ１を持ち上げるには、当接部８上の把持部４ａと把持凹部８ａ、８ｂとの間隙に指を入れて一対の把持金具４の把持部４ａを持ち上げる。これにより、図６に示すように把持金具４が軸部１２を中心に回動して把持部４ａ、４ａが互いに当接するため、コンテナ本体２を持ち上げることができる。
尚、把持金具４をコンテナ本体２から外すには、把持金具４の把持部４ａを当接部８から浮かせた状態で押せばよく、フック部４ｂは係止部材１３を押動して弾性変形させつつ軸部１２から外すことができる。
【００１０】
上述のように本実施例によれば、コンテナ本体２に対する把持金具４の着脱が容易である。しかも把持金具４を保持してフック部４ｂを回動させる際等に不用意にフック部４ｂが外れるのを係止部材１３で防止できる。またフック部４ｂと軸部１２との装着部の大部分が凹陥部１１によって外部から目視できないので邪魔にならず外観上の見栄えがよい。把持金具４を支える軸部１２を凹陥部１１の両側面１１ａに連結する構造であるから、収納物の重量が大きくてもコンテナ本体２や把持金具４が変形したり破損することがない。
【００１１】
尚、把持金具４は把持部材を構成するが、把持部材として金属製のものに限定されることなく各種の材質のものを採用できる。
またコンテナ本体２の形状は必ずしも四角形の箱状に限定されるものではなく、適宜の収納容器の形状を有していればよい。
【００１２】
【発明の効果】
上述したように本発明にかかるコンテナは、コンテナ本体に対する把持部の着脱が容易であり、しかもこのフック部と軸部からなる取付部は凹陥部内に位置して外部から目視しにくいために邪魔にならず見栄えがよい。
また凹陥部内には軸部近傍に弾性変形可能な係止部材を設けたため、フック部の挿入を妨げず、挿入後にあってはフック部の外れる方向の移動を抑制できる。
また把持部材をコンテナ本体に重ねた位置でフック部が軸部から離脱する方向へ移動するのを防止する当接部をコンテナ本体に設けたため、把持部材を当接部に当接させた状態で把持部の離脱を防止できる。
【図面の簡単な説明】
【図１】  本発明の実施例によるコンテナの斜視図である。
【図２】  図１に示すコンテナの側面図である。
【図３】  コンテナの凹陥部を示す部分斜視図である。
【図４】  凹陥部の軸部に把持金具のフック部を装着する前段階を示す一部破断側面図である。
【図５】  凹陥部の軸部に把持金具のフック部を装着した段階を示す一部破断側面図である。
【図６】  凹陥部の軸部にフック部を装着した把持金具を持ち上げた状態を示す一部破断側面図である。
【符号の説明】
１  コンテナ
２  コンテナ本体
３ａ  第一側壁
４  把持金具（把持部材）
４ａ  フック部
８  当接部
１１  凹陥部
１２  軸部
１３  係止部材
【図１】
0003997830.tif 000002
【図２】
0003997830.tif 000003
【図３】
0003997830.tif 000004
【図４】
0003997830.tif 000005
【図５】
0003997830.tif 000006
【図６】
0003997830.tif 000007